(57)【要約】【課題】空きスペースを活用した複数のドッグランを活用できるドッグラン管理装置を提供する。【解決手段】ドッグランシステムを利用する加入者を識別するための加入者識別情報と犬を識別するため犬識別情報とを関連づけて事前登録情報としてデータベースに登録する事前登録情報登録手段、ドッグランを識別するためのドッグラン識別情報と、ドッグランを利用する予約をした加入者に係る事前登録情報と、ドッグランを利用する予約時間帯とを対応付けて予約情報としてデータベースに登録する予約情報登録手段、加入者の端末により検出された加入者の位置に基づいて特定されたドッグランと、位置が検出された加入者と、現在の時刻の組み合わせに相当する予約情報がデータベースに登録されているか否かに基づいて、特定されたドッグランの入り口の解錠を制御する解錠制御手段を備える。【選択図】図１
2018205803.tif 000002
【特許請求の範囲】
【請求項１】
ドッグランの利用を管理するためのドッグラン管理装置であって、
前記ドッグラン管理装置により管理されるドッグランシステムを利用する加入者を識別するための加入者識別情報と犬を識別するため犬識別情報とを関連づけて事前登録情報としてデータベースに登録する事前登録情報登録手段と、
前記ドッグランを識別するためのドッグラン識別情報と、前記ドッグランを利用する予約をした加入者に係る事前登録情報と、前記ドッグランを利用する予約時間帯とを対応付けて予約情報として前記データベースに登録する予約情報登録手段と、
加入者の端末により検出された加入者の位置に基づいて特定されたドッグランと、位置が検出された前記加入者と、現在の時刻の組み合わせに相当する予約情報が前記データベースに登録されているか否かに基づいて、特定された前記ドッグランの入口の解錠を制御する解錠制御手段と、
を備えることを特徴とするドッグラン管理装置。
【請求項２】
請求項１に記載のドッグラン管理装置であって、
前記入口の解錠がなされたならば、位置が検出された前記加入者が特定された前記ドッグランの利用を開始したことを、その加入者のお友達に通知する利用開始通知手段を更に備えることを特徴とするドッグラン管理装置。
【請求項３】
請求項１又は２に記載のドッグラン管理装置であって、
前記ドッグランに設けられた装置、検出された加入者の位置の一方又は双方を少なくとも利用して前記ドッグランの出口の施錠を制御する施錠制御手段を更に備えることを特徴とするドッグラン管理装置。
【請求項４】
請求項１乃至３の何れか１項に記載のドッグラン管理装置であって、
加入者による前記ドッグランの予約を表す予約情報を前記データベースに登録する予約情報登録手段と、
加入者が予約をしたならば、該加入者の予約情報をその加入者のお友達に通知する自予約情報通知手段と、
を更に備えることを特徴とするドッグラン管理装置。
【請求項５】
請求項１乃至４の何れか１項に記載のドッグラン管理装置であって、
前記犬の特徴を表す犬特徴情報を前記犬識別情報に関連付けて前記データベースに登録する犬特徴情報登録手段と、
前記犬特徴情報に基づいて性格マッチングする犬の組み合わせを抽出するマッチング手段と、
前記マッチング手段により抽出された犬の組み合わせに基づいて、加入者にお友達候補を通知するお友達候補通知手段と、
を更に備えることを特徴とするドッグラン管理装置。
【請求項６】
請求項１乃至５の何れか１項に記載のドッグラン管理装置であって、
前記犬の特徴を表す犬特徴情報を前記犬識別情報に関連付けて前記データベースに登録する犬特徴情報登録手段と、
前記事前登録情報において前記加入者に関連付けられた犬と性格マッチングする犬を前記犬特徴情報に基づいて選択する犬選択手段と、
前記犬選択手段により選択された犬に係る予約状況又はそれに関連した情報を前記加入者に知らせる他者予約情報通知手段と、
を更に備えることを特徴とするドッグラン管理装置。
【請求項７】
請求項１乃至６の何れか１項に記載のドッグラン管理装置であって、
前記ドッグランは、空き地又は空きスペースの一時利用を含む短期利用のドッグラン又は長期利用のドッグランであることを特徴とするドッグラン管理装置。
【請求項８】
請求項１乃至７の何れか１に記載のドッグラン管理装置を含むドッグランシステム。
【請求項９】
ドッグランの利用を管理するためのドッグラン管理方法であって、
前記ドッグラン管理方法により管理される前記ドッグランシステムを利用する加入者を識別するための加入者識別情報と犬を識別するため犬識別情報とを関連づけて事前登録情報としてデータベースに登録する事前登録情報登録ステップと、
前記ドッグランを識別するためのドッグラン識別情報と、前記ドッグランを利用する予約をした加入者に係る事前登録情報と、前記ドッグランを利用する予約時間帯とを対応付けて予約情報として前記データベースに登録する予約情報登録ステップと、
加入者の端末により検出された加入者の位置に基づいて特定されたドッグランと、位置が検出された前記加入者と、現在の時刻の組み合わせに相当する予約情報が前記データベースに登録されているか否かに基づいて、特定された前記ドッグランの入り口の解錠を制御する解錠制御ステップと、
を備えることを特徴とするドッグラン管理方法。
【請求項１０】
請求項１乃至７の何れか１項に記載のドッグラン管理装置としてコンピュータを機能させるためのドッグラン管理用プログラム。
【発明の詳細な説明】
【技術分野】
【０００１】
本発明は、ドッグランを管理するためのドッグラン管理装置及びそれを含むドッグランシステムに関する。
【背景技術】
【０００２】
犬が遊戯するためのドッグランが普及しつつある。
【０００３】
ドッグランとは犬をリードに繋げないで遊ばせることができる施設の事であり、全国のドッグラン情報のサイト（http://www.dogep.com/dogrun/）には２０１７年１月時点で７５０を超える施設が登録されている。一般社団法人ペッドフード協会の調査によれば平成２７年の飼い犬の頭数は９，９１７，０００頭で、犬は「生活に喜びを与えてくれる大切な存在」であり「健康面、精神面及び人と人とをつなぐコミュニケーションにおいても重要な存在」であると言う（http://www.petfood.or.jp/topics/img/160129.pdf）。しかし、飼い犬の頭数は年々減少しており、その一因として犬が散歩を必要とする動物である事があげられている。そこで、港区では平成１９年度から３年間区内の公園にドッグランを設置する実証実験を行った(https://www.city.minato.tokyo.jp/kouen/kankyo-machi/siteikanri/documents/1_14.pdf)。その結果、ドッグランの有効性は認められたものの、その運用システムに課題が見られた。また、公園という公共施設に愛犬家だけにメリットがある場所を設けることの反対意見も聞かれた。一方で、国土交通省は平成24年度に「オープンスペースの実態把握と利活用に関する調査研究」（http://www.mlit.go.jp/pri/houkoku/gaiyou/syousai/kkk106mokuzi.html）を発行した。三大都市圏での空き地の増加が見られ、その有効活用が望まれている。
【０００４】
ドッグランの利用にあたって、施設によっては犬のワクチンの接種履歴の提示を求められる場合があり、施設毎に異なるルールを理解しないと行けない。そもそも前記サイトの登録数からも必ずしも近所にドッグランがあるとは限らない。また、ドッグランを運用する側にとっても、生き物を扱うにあたってのリスクを考慮したり、近所との関係を考慮したり、運用に関する課題が多く残されている。結果、ドッグラン加入者間でのコミュニティの形成が阻害されており、前記大切且つ重要な存在である犬の飼育数の伸び悩みに繋がっている。
【先行技術文献】
【非特許文献】
【０００５】
【非特許文献１】「全国のドッグラン情報」、［online］、［平成２９年５月１８日検索］、インターネット〈URL：http://www.dogep.com/dogrun/〉
【非特許文献２】「平成２７年（２０１５年）全国犬猫飼育実態調査結果」、［online］、２０１６年１月２９日、一般社団法人 ペットフード協会、［平成２９年５月１８日検索］、インターネット〈URL：http://www.petfood.or.jp/topics/img/160129.pdf〉
【非特許文献３】「区立公園等におけるドッグラン設置の基本的考え方」、［online］、平成２３年３月、港区街づくり支援部、［平成２９年５月１８日検索］、インターネット〈URL：https://www.city.minato.tokyo.jp/kouen/kankyo-machi/siteikanri/documents/1_14.pdf〉
【非特許文献４】「オープンスペースの実態把握と利活用に関する研究」、［online］、２０１０年、国土交通省国土交通政策研究所、［平成２９年５月１８日検索］、インターネット〈URL：http://www.mlit.go.jp/pri/houkoku/gaiyou/syousai/kkk106mokuzi.html〉
【発明の概要】
【発明が解決しようとする課題】
【０００６】
ところで、ドッグランに関しては、下記の課題がある。
・犬をリードに繋がないで散歩させる場所を探すのが難しい。
・徒歩圏内にあるドッグランを探すのが難しく、車で行く必要のある場合が多い。
・ドッグランによっては利用する際に犬のワクチン履歴を提示しないと行けない場所が多い。
・犬に適度なエクササイズをさせる場所を探すのが難しい。
・適当なお友達の犬を探すのが難しい。
・天候によりアウトドアのドッグランが利用出来ない。インドアのドッグランのニーズはあるが存在していない。
【０００７】
本発明は、これらの状況に鑑みてなされたものであり、アウトドア（空き地）或いはインドア（空き家・空き部屋）の空きスペースを活用した複数のドッグランを活用できるドッグラン管理装置及びそれを含むドッグランシステムを提供することを目的とする。
【課題を解決するための手段】
【０００８】
本発明によれば、
ドッグランの利用を管理するためのドッグラン管理装置であって、
前記ドッグラン管理装置により管理されるドッグランシステムを利用する加入者を識別するための加入者識別情報と犬を識別するため犬識別情報とを関連づけて事前登録情報としてデータベースに登録する事前登録情報登録手段と、
前記ドッグランを識別するためのドッグラン識別情報と、前記ドッグランを利用する予約をした加入者に係る事前登録情報と、前記ドッグランを利用する予約時間帯とを対応付けて予約情報として前記データベースに登録する予約情報登録手段と、
加入者の端末により検出された加入者の位置に基づいて特定されたドッグランと、位置が検出された前記加入者と、現在の時刻の組み合わせに相当する予約情報が前記データベースに登録されているか否かに基づいて、特定された前記ドッグランの入り口の解錠を制御する解錠制御手段と、
を備えることを特徴とするドッグラン管理装置が提供される。
【０００９】
また、本発明によれば、
ドッグランの利用を管理するためのドッグラン管理方法であって、
前記ドッグラン管理方法により管理される前記ドッグランシステムを利用する加入者を識別するための加入者識別情報と犬を識別するため犬識別情報とを関連づけて事前登録情報としてデータベースに登録する事前登録情報登録ステップと、
前記ドッグランを識別するためのドッグラン識別情報と、前記ドッグランを利用する予約をした加入者に係る事前登録情報と、前記ドッグランを利用する予約時間帯とを対応付けて予約情報として前記データベースに登録する予約情報登録ステップと、
加入者の端末により検出された加入者の位置に基づいて特定されたドッグランと、位置が検出された前記加入者と、現在の時刻の組み合わせに相当する予約情報が前記データベースに登録されているか否かに基づいて、特定された前記ドッグランの入り口の解錠を制御する解錠制御ステップと、
を備えることを特徴とするドッグラン管理方法が提供される。
【００１０】
更に、本発明によれば、上記のドッグラン管理装置としてコンピュータを機能させるためのドッグラン管理用プログラムが提供される。
【発明の効果】
【００１１】
本発明によれば、アウトドア（空き地）或いはインドア（空き家・空き部屋）の空きスペースを活用することが可能になる。
【図面の簡単な説明】
【００１２】
【図１】本発明の実施の形態によるドッグランシステム及びそれを利用する加入者などを示す概念図である。
【図２】本発明の実施の形態によるドッグランシステムの利用状況の一例を示す図である。
【図３】図１に示すドッグラン管理装置の構成を示すブロック図である。
【図４】本発明の実施形態によるドッグランシステムにより行われる犬を登録する方法を説明するためのフローチャートである。
【図５】本発明の実施形態によるドッグランシステムにより行われる通常の予約方法を説明するためのフローチャートである。
【図６】本発明の実施形態によるドッグランシステムにより行われる相性マッチングによる予約方法を説明するためのフローチャートである。
【図７】本発明の実施形態によるドッグランシステムにより行われるドッグラン利用開始方法を説明するためのフローチャートである。
【図８】本発明の実施形態によるドッグランシステムにより行われるドッグラン利用終了方法を説明するためのフローチャートである。
【図９】本発明の実施形態によるドッグランシステムにより行われる本システムを利用した相性マッチングによるお友達形成方法を説明するためのフローチャート（１／２）である。
【図１０】本発明の実施形態によるドッグランシステムにより行われる本システムを利用した相性マッチングによるお友達形成方法を説明するためのフローチャート（２／２）である。
【図１１】本発明の実施形態によるドッグランシステムにより行われる他システムを利用した相性マッチングによるお友達形成方法を説明するためのフローチャート（１／２）である。
【図１２】本発明の実施形態によるドッグランシステムにより行われる他システムを利用した相性マッチングによるお友達形成方法を説明するためのフローチャート（２／２）である。
【発明を実施するための形態】
【００１３】
以下、図面を参照して本発明を実施するための形態について詳細に説明する。
【００１４】
ドッグランシステムは、基本的には、次のようにして運営される。
【００１５】
ドッグランは、例えば、提供者から提供された空き地又は屋内の空きスペースを利用して構築される。これに関しては、後述するドッグラン情報テーブル２１１、提供者情報テーブル２１３の各項目に具体的なデータが登録される。ドッグランシステムがフランチャイザ、空き地提供者がフィランチャイジーとなってもよい。
【００１６】
ドッグランシステムを利用するためには、まず、ドッグランシステムに会員登録する必要がある。これに関しては、後述する犬情報テーブル２１５、加入者情報テーブル２１７の各項目に具体的なデータが登録される。
【００１７】
会員になったならば、月額制によりドッグランシステムの各地にあるドッグランを利用することができる。利用するためには、予約をすることが必要であるが、携帯端末やパーソナルコンピュータなどを利用してその予約をすることができる。予約の際には、利用したいドッグランと時間帯（又は、開始時刻と利用時間長）を指定する。これに関しては、後述する予約管理テーブル２２３の各項目に具体的なデータが登録される。
【００１８】
予約した開始時刻前に予約したドッグランまで赴いたならば、携帯端末を利用して利用開始のための手続きをすることにより、ドッグランのゲートを開いて貰う。利用が終了するためにドッグランから退出すると、自動的に施錠される。
【００１９】
また、ドッグランの加入者同士が、飼育している犬同士の間の特徴のマッチングに基づいて、友達となるための機能も提供されている。これに関しては、友達管理テーブル２２５の各項目に具体的なデータが登録される。
【００２０】
更に、利用の予約をしたり、実際に利用を開始したりしたならば、友達にそれを通知するための機能も提供されている。これにより、マッチングがとれた犬同士がドッグランで一緒になる機会を増やすことができる。
【００２１】
図１は、本発明の第１の実施の形態によるドッグランシステム、これを利用する加入者等を示す概念図である。
【００２２】
図１を参照すると、ドッグランシステムは、ドッグラン管理サーバ装置１０３及びドッグラン１０５を含む。以下、ドッグラン管理サーバ装置１０３を、単に、管理サーバ装置１０３ということがある。
【００２３】
また、これを利用する加入者１５１は、携帯端末（ＭＴ）１０７を利用していて、犬１５３を飼っている。犬１５３には、その犬に関する情報が読み出し可能に書き込まれたマイクロチップＩＤ１０９が取り付けられている。
【００２４】
ドッグラン１０５は、例えば、空き地を利用して設置されたものであるが、柵１０５ａや塀により囲まれていて、ゲート１０５ｂを開けないとそこに入ることができない。また、ゲート１０５ｂには、遠隔で施錠と解錠ができる錠１０５ｃが取り付けられている。更に、ドッグラン１０５には、管理サーバ装置１０３と通信をして、これからの指示による錠１０５ｃの制御をするためのドッグランクライアント装置１０５ｄが設置されている。以下、ドッグランクライアント装置１０５ｄを、単に、クライアント装置１０５ｄということがある。
【００２５】
管理サーバ装置１０３と、ドッグランクライアント装置１０５ｄと、携帯端末１０７は、インターネット１３１により接続されている。なお、基地局１３７などを含む携帯電話網１３５が、携帯端末１０７とインターネット１３１の間に介在しているが、実質的には、携帯電話網１３５がインターネット１３１に含まれているとみてもよい。
【００２６】
図１では、説明のために、ドッグラン１０５の数を１として、加入者１５１を一人としたが、実際には、図２に示すように、双方とも複数存在する。図２においては、ドッグラン１０５−１、１０５−２、１０５−３、・・・１０５−ｎと、加入者１５１−１、１５１−２、１５１−３、・・・１５１−ｍが存在する。加入者１５１−１は、犬１５３−１をドッグラン１０５−１で遊ばせ、加入者１５１−２は、犬１５３−２をドッグラン１０５−２で遊ばせ、加入者１５１−３は、犬１５３−３をドッグラン１０５−３で遊ばせ、加入者１５１−４は、犬１５３−４−１、１５３−４−２をドッグラン１０５−３で遊ばせているが、加入者１５１−５、犬１５３−ｍをドッグランで遊ばせていない。各加入者１５１−１、１５１−２、１５１−３、・・・１５１−ｍは、携帯端末１０７−１、１０７−２、１０７−３、・・・１０７−ｍを利用し、各犬１５３−１、１５３−２、１５３−３、１５３−４−１、１５３−４−２、・・・１５３−ｍには、マイクロチップＩＤ１０９−１、１０９−２、１０９−３、１０９−４−１、１０９−４−２、・・・１０９−ｍが取り付けられている。
【００２７】
図３は、管理サーバ装置１０３の構成を示す機能ブロック図である。
【００２８】
図３を参照すると、管理サーバ装置１０３は、制御部２０１、通信部２０３及びデータベース２０５を含む。データベース２０５としては、一例としてリレーショナルデータベースを用いることができ、これに含まれる複数のテーブルの項目は、必要部分で関連付けられている。本実施形態では、同一名の項目は１：１又は１：ｎで関連付けられている。
【００２９】
制御部２０１は、例えば、プログラムを実行するＣＰＵにより実現されるものであり、管理サーバ装置１０３の種々の機能部として機能する。各機能部は、後で説明する各方法を実行するものになる。プログラムは、記録媒体（図示せず）から読み込んだものであってもよいし、外部から通信部２０３などを介して受信したものであってもよい。
【００３０】
データベース２０５は、制御部２０１がアクセスするものであり、ドッグラン情報テーブル２１１、提供者情報テーブル２１３、犬情報テーブル２１５、加入者情報テーブル２１７、予約管理テーブル２２３及び友達管理テーブル２２５を含む。
【００３１】
各テーブルは、下記のようなフィールドを有する。
【００３２】
ドッグラン情報テーブル  ２１１
・ドッグラン識別情報
・ドッグラン名称
・ドッグラン住所
・位置情報（軽度、緯度）
・広さ
・グランド状況
・設備
・周囲の景観写真
・所有者識別情報
提供者情報テーブル  ２１３
・提供者識別情報
・提供者名
・提供者写真
・提供者住所
・提供者電話番号
・提供者電子メールアドレス
・提供者支払手段情報
犬情報テーブル  ２１５
・犬識別情報
・犬称呼
・犬写真
・犬鳴き声音声
・犬タイプ
・ワクチン接種履歴
・誕生日
・性別
・犬種
・性格
・加入者識別情報
加入者情報テーブル  ２１７
・加入者識別情報
・加入者名
・加入者住所
・加入者電話番号
・加入者電子メールアドレス
・加入者入金手段情報
予約管理テーブル  ２２３
・予約識別情報
・ドッグラン識別情報
・予定開始日時
・予定終了日時
・加入者識別情報
・予約入力日時
・利用開始日時
・利用終了日時
・利用終了遅延日時
・利用終了フラグ
友達管理テーブル  ２２５
・第1の犬識別情報
・第2の犬識別情報
・関連付け日時
【００３３】
図４は、犬情報を登録する方法を説明するためのフローチャートである。この方法は、管理サーバ装置１０３が、携帯端末１０７に表示する対話画面を用いて行われる。この画面は、管理サーバ装置１０３、携帯端末１０７又はその双方により制御される。なお、犬情報の登録の前に加入者になるための登録が行われるが、通常の会員登録と同様であるので、説明を省略する。加入者情報は、加入者情報テーブル２１７に登録される。
【００３４】
図４を参照すると、各加入者に対して、登録する全ての犬について、ステップＳ３０１ＳからステップＳ３０１Ｅまでの間にある処理を繰り返す。例えば、２匹登録するのであれば、２回繰り返す。
【００３５】
まず、所定の画面を表示して、情報の取得方法を選択して貰う（ステップＳ３０１Ｓ）。
【００３６】
次に、マイクロチップＩＤからの取得であるならば（ステップＳ３０５でＹＥＳ）、マイクロチップＩＤから犬情報を読み取る（ステップＳ３０７）。
【００３７】
既存システムからの取得であるならば（ステップＳ３０９でＹＥＳ）、既存システムから犬情報を取得する（ステップＳ３１１）。
【００３８】
問い合わせによる取得であるならば（ステップＳ３１３でＹＥＳ）、問い合わせ先から居ぬ情報を取得する（ステップＳ３１５）。
【００３９】
何れでも無い場合には（ステップＳ３１３でＮＯ）、加入者による犬情報の入力を受け付ける（ステップＳ３１７）。
【００４０】
犬情報を取得したならば、加入者から残りの犬情報の入力を受け付ける（ステップＳ３１９）。
【００４１】
次に、犬情報を犬情報テーブル２１５に登録する（ステップＳ３２１）。
【００４２】
図５は、通常予約をする方法を説明するためのフローチャートである。
【００４３】
図５を参照すると、まず、本システムの管理サーバ装置１０３に接続した携帯端末１０７は、画面に表示されたメニューなどで加入者により「予約」が選択されると、ドッグランリストを管理サーバ装置１０３から取得する（ステップＳ４０１）。ここで、ドッグランリストは、ドッグラン情報テーブル２１１から各ドッグランについて所定の項目を抽出したものを含む。
【００４４】
次に、ドッグランリストを表示する。ドッグランリストは、文字より構成された表形式のものであってもよいし、地図上にまとめて複数のドッグランの所在地を表示した形式のものであってもよいし、これらを複合させたり、切り替え可能にしたりしたものであってもよい。
【００４５】
次に、携帯端末１０７は、ドッグランリストから何れかのドッグランが選択されたならば（ステップＳ４０５でＹＥＳ）、管理サーバ装置１０３に対して、選択されたドッグランの予約状況を問い合わせる（ステップＳ４０７）。
【００４６】
これに対して、管理サーバ１０３は、予約管理テーブル２２３を参照して、予約状況を携帯端末１０７に送信する（ステップＳ４０９）。予約状況は、例えば、予約管理テーブル２２３に記録されているレコードをＳＱＬなどにより集計することにより得ることができる。
【００４７】
次に、携帯端末１０７は、送信されてきた予約状況に基づいて、選択されたドッグランの情報と予約状況を表示する（ステップＳ４１１）。ここで、予約状況の表示方法であるが、例えば、現在から所定日数経過するまでの毎日について、週間予定表のように時間帯毎に、予約件数及び予約匹数を表示するようにしてもよい。加入者は、この予定表の所望の日の所望の時間帯の表示部分を選択したり、予約用の画面に所望の日の所望の時間帯を入力したりすることにより予約を入れることができる。また、利用する匹数を指定して予約してもよいが、常に予め加入者に対して登録されている匹数をそのまま利用してもよいし、匹数の指定がない場合に限り予め加入者に対して登録されている匹数を予約するようにしてもよい。
【００４８】
次に、携帯端末１０７は、何れかのドッグランが、何れかの日、何れかの時間帯を指定して、必要に応じて予約匹数と共に、予約されたならば（ステップＳ４１３でＹＥＳ）、管理サーバ装置１０３に対して、それらを予約管理テーブル２２３に登録するよう依頼する（ステップＳ４１５）。
【００４９】
次に、管理サーバ装置１０３は、予約管理テーブル２２３に予約を登録する（ステップＳ４１７）。なお、予約管理テーブル２２３には、犬識別情報が含まれていないが、犬情報テーブル２１５において、犬識別情報と加入者識別情報とが関連付けられているので予約識別情報に、犬識別情報を関連付けることができる。
【００５０】
携帯端末１０７は、ステップＳ４１５の後、加入者によりお友達に通知することが選択されたのであれば（ステップＳ４１９）、お友達にステップＳ４１３における予約を通知する（ステップＳ４２１）。お友達については後述する。
【００５１】
なお、予約の数は１つには限られず、複数の予約をまとめて入れてもよい。
【００５２】
また、例えば、同一ドッグランに対して、許容量以上の予約が発生する場合には、予約者に警告してもよい。また、予約に際して、先に予約された犬の犬種から、同一ドッグランを利用しない方が良い場合にも、予約者に警告してもよい。
【００５３】
図６は、性格マッチングによる予約をする方法を説明するためのフローチャートである。
【００５４】
図６を参照すると、まず、携帯端末１０７は、加入者による操作に基づいて、相性マッチングによるドッグランの表示を要求する（ステップＳ４３１）。
【００５５】
管理サーバ装置１０３は、この要求を受けたならば、相性マッチングにより犬を選択する（ステップＳ４３３）。ここで、相性マッチングによる犬の選択とは、比較する２つの犬について犬情報テーブル２１５に格納されている犬タイプ、犬種、性格の何れか１つ又は２以上の組み合わせに基づいた１つ又は２以上の特徴変数を求め、これらの２つの犬の特徴変数を所定の評価関数の入力としたときに得られる評価関数値が高いほど相性マッチングがより良いとして、加入者の犬との間で相性マッチングがより良い犬を選択することである。
【００５６】
次に、管理サーバ１０３は、相性マッチングにより選択された上位所定数の犬の予約状況を、予約管理テーブル２２３を参照することにより取得する。（ステップＳ３２５）。
【００５７】
次に、管理サーバ１０３は、ステップＳ３２５で取得した予約状況を携帯端末１０７に送信する（ステップＳ４３７）。なお、既に予約日時が到達している予約についての予約状況を含めてもよい。
【００５８】
次に、携帯端末１０７は、送信されてきた予約状況に基づいて、ステップＳ４３３で選択された相性マッチングがとれている上位所定数の犬の予約状況を表示する（ステップＳ４３９）。つまり、相性マッチングのとれている上位所定数の個々の犬が、どのドッグランをどの日のどの時間帯に利用するかという情報を表示する。リスト形式で表示しても良いし、週間予定表のように表示してもよい。
【００５９】
加入者は、表示された予約状況を見て、そこに含まれる何れかのドッグランと何れかの日の何れかの時間帯を予約候補として選択をする。ここで、予約候補は１つには限らない。
【００６０】
次に、携帯端末１０７は、予約候補が選択されたならば、そのドッグランとその日とその時間帯の組み合わせにおける予約状況を問い合わせる（ステップＳ４４３）。
【００６１】
次に、管理サーバ装置１０３は、問い合わせを受けたドッグランとその日とその時間帯の組み合わせにおける予約状況を、予約管テーブル２２３に基づいて調べ、それを携帯端末１０７に送信する（ステップＳ４４５）。また、付加的に、ドッグラン情報テーブル２１１から取得した、そのドッグランに関する情報も送信する。
【００６２】
次に、携帯端末１０７は、送信されてきたドッグランに関する情報と予約状況を表示する（ステップＳ４４７）。
【００６３】
加入者は、予約候補の何れかに対して予約を入れることができる。また、利用する匹数を指定して予約してもよいが、常に予め加入者に対して登録されている匹数をそのまま利用してもよいし、匹数の指定がない場合に限り予め加入者に対して登録されている匹数を予約するようにしてもよい。なお、予約の数は１つには限られず、複数の予約候補に対して予約を入れてもよい。
【００６４】
次に、携帯端末１０７は、何れかのドッグラン、何れかの日、何れかの時間帯を指定して、必要に応じて予約匹数と共に、予約されたならば（ステップＳ４４９でＹＥＳ）、管理サーバ装置１０３に対して、それらを予約管理テーブル２２３に登録するよう依頼する（ステップＳ４５１）。
【００６５】
次に、管理サーバ装置１０３は、予約管理テーブル２２３に予約を登録する（ステップＳ４５３）。
【００６６】
携帯端末１０７は、ステップＳ４１５の後、加入者によりお友達に通知することが選択されたのであれば（ステップＳ４５５）、お友達にステップＳ４１３における予約を通知する（ステップＳ４５７）。お友達については後述する。
【００６７】
お友達への通知は、管理サーバ装置１０３が行ってもよい。
【００６８】
図７は、ドッグランの利用を開始する方法を説明するためのフローチャートである。
【００６９】
管理サーバ装置１０３は、各加入者の携帯端末１０７のＧＰＳが検出したその加入者の存在位置を常に把握していて、それを各ドッグランの存在位置と比較することにより、その加入者が何れかのドッグランに近づいたならば、それを検出することができる。
【００７０】
図７を参照すると、まず、管理サーバ装置１０３は、加入者が或るドッグランに近づくことを検出する（ステップＳ３３１）。
【００７１】
次に、管理サーバ装置１０３は、加入者の携帯端末にドッグランシステムからの通知であることがわかるように通知を出す（ステップＳ３３３）。また、この通知には、現在加入者が存在する位置からドッグランまでの道のりがわかるような案内地図を含ませてもよい。
【００７２】
その通知を受けた携帯端末１０７を携えている加入者は、ドッグランシステムからの通知を受けたことを認識し、自分が予約しているドッグランに近づいているならば、所定の操作をし、それにより携帯端末１０７は、応答を管理サーバ装置１０３に送信する（ステップＳ３３５）。自分が予約しているドッグランに近づいていないのであれば、加入者はその所定の操作をしないので、携帯端末１０７は、応答を管理サーバ装置１０３に送信しない。
【００７３】
次に、管理サーバ装置１０３は、加入者の携帯端末１０７による応答があったことを検出したならば（ステップＳ３３７）、加入者の携帯端末１０７にドッグラン用画面（利用受付画面）を表示させるための利用受付画面表示用情報を携帯端末１０７に送信する（ステップＳ３３９）。
【００７４】
携帯端末１０７は、利用受付画面表示用情報を受信したならば、利用受付画面を表示する（ステップＳ３４１）。
【００７５】
利用受付画面において加入者により利用開始ボタンが押されたならば（ステップＳ３４３）、携帯端末１０７は、利用要求を管理サーバ装置１０３に送信する（ステップＳ３４５）。利用要求には、加入者を識別するための加入者識別情報が含まれている。
【００７６】
次に、管理サーバ装置１０３は、利用要求を受信したならば、それに含まれている加入者識別情報により識別される加入者の予約情報を予約管理テーブル２２３から検索し、その加入者が当該ドッグランをこれから利用するための予約をしているかを確認する。
【００７７】
そのような予約者であれば（ステップＳ３５１でＹＥＳ）、その予約者に対して解錠要求待受け状態に入る。
【００７８】
一方で、携帯端末１０７は、加入者により解錠ボタンが押されたならば（ステップＳ３４７）、解錠要求を管理サーバ装置１０３に送信する。解除ボタンは、利用受付画面に設けられたものであってもよいし、これに関連付けられた画面に設けられたものであってもよい。
【００７９】
管理サーバ１０３は、ステップＳ３４５で利用要求を出した加入者に対しての解除要求待受け状態において、その加入者から解錠要求を受信したことを検出したならば（ステップＳ３５３）、当該ドッグランのゲート１０５ｂを開けるために錠１０５ｃを解錠するための信号を当該ドッグランのクライアント装置１０５ｄに送信し、予約管理テーブル２２３に現在時刻を利用開始時刻として記録する（ステップＳ３５５）。
【００８０】
次に、管理サーバ装置１０３は、利用を開始する加入者の友達に対して、その加入者がこれから当該ドッグランを利用することを通知する（ステップＳ３５７）。お友達への通知は携帯端末１０７が行ってもよい。
【００８１】
なお、管理サーバ装置１０３は、ステップＳ３３１で加入者がドッグランに近づいてきたことを検出したときにその加入者がどの加入者であるのかがわかる場合には、ステップＳ３３３でその加入者の携帯端末１０７に通知を出した後に、それに対する応答を得ることができなくても、ステップＳ３３９に進んでもよい。つまり、ステップＳ３３５、Ｓ３３７を省略してもよい。
【００８２】
ステップＳ３３５で携帯端末１０７から管理サーバ装置１０３に送られる応答に含まれる加入者識別情報により初めて加入者を特定できるのであれば、ステップＳ３３３で管理サーバ装置１０３から携帯端末１０７に送る通知は、管理サーバ装置１０３が加入者識別情報を取得するためのトリガとなる。
【００８３】
管理サーバ装置１０３がステップＳ３３９で利用受付画面表示用情報を携帯端末１０７に送るときには既に加入者を特定できているので、利用受付画面表示用情報には、特定した加入者に向けた情報を含ませても良い。例えば、加入者の氏名や犬称呼などを含ませ、ステップＳ３４１で、それを携帯端末１０７の画面に表示するようにしてもよい。
【００８４】
管理サーバ装置１０３においては、ステップＳ３３９とステップＳ３５１に関連性を持たせなくてもよいが、トランザクション処理としても良い。その場合、管理サーバ装置１０３は、ステップＳ３３９の前に発行したドランザクション処理番号をステップＳ３３９で送り、ステップＳ３４５で受け取るようにしてもよいが、加入者識別番号により管理してもよい。
【００８５】
ステップＳ３３３で通知を受けた加入者が通知に係るドッグランをまだ予約していないが、利用しようと気が赴き、予約の手続きをしたならば、ステップＳ３３５の応答がなくても、管理サーバ装置１０３と携帯端末１０７は、その後に、ステップＳ３３９からの処理を続けるようにしてもよい。従って、加入者は、いつどこに行っても、ドッグラン管理サーバ１０３により管理されているドッグランを予め知っていなくても、飛び入りで利用することが可能になる。
【００８６】
図８は、ドッグランの利用を終了する方法を説明するためのフローチャートである。
【００８７】
携帯端末１０７で利用終了ボタンが押されたならば（ステップＳ３７１でＹＥＳ）、携帯端末１０７は、利用終了要求を管理サーバ装置１０３に送信する。利用終了要求は、加入者識別情報を含めてもよいし、予約識別情報を含めてもよいし、その双方を含めてもよい。なお、予約識別情報は、例えば、ステップＳ３３９において既に携帯端末１０７が取得していてもよいし、それ以降の何れかの機会で取得していてもよい。
【００８８】
管理サーバや装置１０３は、利用終了要求を受信したならば（ステップＳ３８１でＹＥＳ）、利用終了日時を予約管理テーブル２２３に記録して、課金処理をする（ステップＳ３８３）。なお、月間契約や年間契約などの定額契約であれば、ここでの課金処理は不要である。
【００８９】
次に、加入者と犬の退出を検出し（ステップＳ３８５）、他にも利用者がいなければ、ドアを施錠する（ステップＳ３８７）。退出は、例えば、加入者の携帯端末１０７のＧＰＳが示す位置情報により検出してもよい。ゲート１０５ｂ付近に設けられたカメラやセンサが検出する人の出入りにより制御されるカウンタがゼロになったならば、ゲート１０５ｂを施錠するようにしてもよいし、ドッグラン全体を撮影するカメラにより加入者と犬が撮影されなくなったらゲート１０５ｂを施錠するようにしてもよい。これらの方法を複合させてもよい。
【００９０】
課金後の時間超過であれば（ステップＳ３８９でＹＥＳ）、利用終了遅延日時を予約管理テーブル２２３に記録して、追加課金処理をする（ステップＳ３９１）。なお、月間契約や年間契約などの定額契約であれば、ここでの追加課金処理は不要である。
【００９１】
図９は、お友達通知の方法を説明するためのフローチャートである。
【００９２】
図９を参照すると、まず、当該ドッグランシステムが提供するサービスにおけるお友達検索が選択されたならば（ステップＳ４７１でＹＥＳ）、携帯端末１０７は、お友達検索の実行を管理サーバ装置１０３に要求する（ステップＳ４７２）。
【００９３】
管理サーバ装置１０３は、その要求に従って、相性マッチングによるお友達検索を実行する（ステップＳ４７３）。
【００９４】
ここで、相性マッチングによる犬の検索とは、既に説明した相性マッチングによる犬の選択と同様なものであり、比較する２つの犬について犬情報テーブル２１５に格納されている犬タイプ、犬種、性格の何れか１つ又は２以上の組み合わせに基づいた１つ又は２以上の特徴変数を求め、これらの２つの犬の特徴変数を所定の評価関数の入力としたときに得られる評価関数値が高いほど相性マッチングがより良いとして、要求元の加入者の犬との間で相性マッチングがより良い犬を検索することである。
【００９５】
管理サーバ装置１０３は、検索結果として、相性マッチングにより見つけることができたお友達候補の犬に関する情報を携帯端末１０７に送信する（ステップＳ４７４）。お友達候補の犬を何匹にするかをシステム又は加入者が予め決めてもよいが、相性マッチングの程度により候補を決めるのであれば、不定数となる。その場合、相性マッチングの程度をシステム又は加入者が予め決めてもよい。なお、お友達候補の犬に関する情報としては、犬情報テーブル２１５から抽出したものを用いる。なお、その犬に対応した加入者に関する情報を加入者情報テーブル２１７から抽出して、それを犬に関する情報に付帯させて携帯端末２０７に送信してもよい。
【００９６】
携帯端末１０７は、管理サーバ装置１０３から送られてきたお友達候補の犬の情報に基づいて、お友達候補の犬の情報を画面やスピーカに出力する（ステップＳ４７５）。また、飼い主の加入者情報が送られてきたならば、それを付帯して画面などに出力してもよい。
【００９７】
次に、携帯端末１０７は、加入者により１又は複数の何れかのお友達候補の犬が選択されたならば（ステップＳ４７７）、図１０に示すドッグランシステム内部におけるお友達申請（ステップＳ５０１）に進む。
【００９８】
図１０は、１匹の犬に対してお友達申請がなされた場合の方法を示すが、複数の犬に対してお友達申請がなされた場合には、図１０に示す方法がそれぞれの申請先の犬に対して適用される。
【００９９】
図１０を参照すると、自携帯端末１０７は、管理サーバ装置１０３に対してお友達申請を送信する（ステップＳ５０１）。この友達申請には、犬識別情報が付加される。
【０１００】
管理サーバ装置１０３は、お友達申請された犬の飼い主である加入者を犬情報テーブル２１５から検索し、その加入者の携帯端末に対して、友達申請を転送する。転送される友達申請には、申請元の犬情報が付加される。申請元の犬情報の飼い主である加入者の加入者情報が付加されてもよい。なお、犬情報は、犬情報テーブル２１５から抽出され、加入者情報は、加入者情報テーブル２１７から抽出される。
【０１０１】
申請先の携帯端末は、友達申請を受けたことを表示する（ステップＳ５０５）。この表示には、受信した友達申請に付加されている犬情報が含まれる。犬鳴き声音声があれば、これをスピーカから出力してもよい。また、申請元の犬の飼い主の加入者情報を受信しているのであれば、これを表示してもよい。
【０１０２】
次に、申請先の携帯端末は、その加入者などにより画面がタップされたならば（ステップＳ５０７）、ドッグランシステム用のアプリを起動する（ステップＳ５０９）。
【０１０３】
ステップＳ５０９で起動されたアプリは、申請元の犬の識別情報と、申請先の犬の犬識別情報を含んだ友達形成要求を管理サーバ装置１０３に送信する。管理サーバ装置１０３は、友達形成要求に含まれる２匹の犬識別情報に基づいて、友達管理テーブル２２５にレコードを追加する（ステップＳ５１１）。なお、必要ならば、ステップＳ５０１において送られる友達申請に含まれる申請元の犬の識別情報と、申請先の犬の犬識別情報と照合をとってもよい。
【０１０４】
図９を参照すると、当該ドッグランシステムが提供するサービスにおけるお友達検索が選択されずに、他ＳＮＳにおけるお友達検索が選択されたならば（ステップＳ４７１でＮＯ）、図１１に示す他ＳＮＳへのドッグランシステムの投稿（ステップＳ５３１）に進む。
【０１０５】
ステップＳ５３１では、自携帯端末１０７は、他ＳＮＳにドッグランシステム用のアプリを起動するためのスキーマリンクをドッグランシステムに関するコメントと共に内容を投稿する。投稿には、ドッグランシステムの写真を掲載してもよいし、ドッグランに関連したＷＥＢサイトへのリンクを挿入してもよい。
【０１０６】
他ＳＮＳでは、その投稿は、ドッグランシステム用のアプリへのスキーマリンク付きで表示可能化される（ステップＳ５３３）。
【０１０７】
その一方で、他携帯端末の加入者は、他ＳＮＳのシステムの利用を開始する（ステップＳ５３５）。この他携帯端末の加入者は、投稿者のお友達であってもよいが、そうでなくてもよい。
【０１０８】
そして、他携帯端末が、投稿した加入者のＳＮＳにおけるページを要求すると（ステップＳ５３７）、他ＳＮＳシステムは、そのページを他携帯端末に送信し（ステップＳ５３９）、他携帯端末は、そのページを表示する（ステップＳ５４１）。
【０１０９】
他携帯端末の加入者が、他携帯端末において表示されているそのページでドッグランに関する投稿を見つけ、それに興味を持ち、ドッグランシステム用のアプリへのスキーマリンクがある部分を選択する（例えば、タップする）（ステップＳ５４３）。
【０１１０】
次に、他携帯端末においては、ドッグランシステムのアプリがインストールされているならば（ステップＳ５４５でＹＥＳ）、そのアプリが起動される（ステップＳ５４７）。インストールされていないならば（ステップＳ５４５でＮＯ）、ドッグランシステムのアプリがインストールされてから（ステップＳ５４９）、起動される（ステップＳ５５１）。そして、初回の利用であるので、他携帯端末の加入者は、自分をドッグランシステムの加入者として登録する（ステップＳ５６１）。
【０１１１】
ステップＳ５４７又はＳ５６１の次に、図１２に示すように、他携帯端末の加入者が投稿した加入者に対して友達申請をするならば（ステップＳ５６３）、図１０に示した方法と同様の方法により、他端末の加入者と投稿した加入者がお友達同士となる（ステップＳ５６７、Ｓ５６９、Ｓ５７１、Ｓ５７３）。
【０１１２】
他携帯端末の加入者は、もちろん、ドッグランシステムの他の加入者とも友達同士になれる。
【０１１３】
なお、通常予約及び相性マッチング予約においては、携帯端末１０７の代わりに、管理サーバ装置１０３に接続されたパーソナルコンピュータなどの他の装置を用いてもよい。
【０１１４】
また、ドッグラン１０５の柵１０５ａ、ゲート１０５ｂ、錠１０５ｃとして、長期利用を想定したものと、短期利用を想定したものを用意してもよい。短期利用を想定したものは、それに耐久性を持たせる必要がないので、比較的安価にできる。また、短期運用を想定したものを共通の仕様のものや既成のもの（例えば、既成のドッグサークル）にして、安価にしてもよい。共通の仕様には、共通の寸法を含めてもよい。
【０１１５】
短期利用を想定したドッグランを試験的に各地に設置してから、ニーズを把握して、その把握に基づいて、長期的に設置する場所を決め、その場所のドッグランを長期利用を想定したものに変更するような運用をしてもよい。
【０１１６】
長期的に設置する場所は、必ずしも、短期利用を想定したドッグランを試験的に設定した場所と同一でなくてもよい。例えば、その近くであってもよい。ニーズを把握するために、長期的に設置する可能性がある場所の近くにある小さな空き地若しくは空きスペース又は一時的な空き地若しくは空きスペースに、短期利用を想定したドッグランを試験的に設定してもよい。
【０１１７】
将来的に他の用途に利用される計画がない空き地や空きスペースには、長期利用を想定したドッグランの各施設を設置することができる。
【０１１８】
また、将来的に他の用途に利用される計画がない空き地や空きスペースには、ニーズを把握するため、又は、低コストでその所有者が収益を得るなどの活用をするために、短期利用を想定したドッグランの各施設を設置することも勿論できる。
【０１１９】
将来的に他の用途に利用される計画がある空き地や空きスペースには、短期利用を想定したドッグランの各施設をニーズを把握するために設置することができる。また、将来的に他の用途に利用される計画がある空き地や空きスペースには、短期利用を想定したドッグランの各施設を低コストでその所有者が収益を得るなどの活用をするために設置することもできる。
【０１２０】
このように様々な形態や目的で空き地や空きスペースに、それに適合したドッグランの各施設を設置するようにして、ドッグランを増加することができれば、ドッグランを利用したい人の需要を充分満たすことが可能になる。このようにしてドッグランを利用したい人と、ドッグランを提供できる人を繋げることができる。
【０１２１】
空き地としては、例えば、個人所有の空き地、法人所有の空き地、行政機関が所有する空き地があげられる。また、空きスペースとしては、個人所有の建物の空きスペース、法人所有の建物の空きスペース、行政機関が所有する建物のスペースがあげられる。更に、元々、空き地でない場所や空きスペースでないスペースをドッグランを設置するために転用することもできる。
【０１２２】
本実施形態によれば、下記の効果が奏される。
・ドッグランは既存の空きスペースを活用できる。
・犬に埋め込まれたマイクロチップに記録されている識別番号をドッグラン利用許可のための認証情報として利用できる。
・携帯端末の位置情報センサで特定された場所のドッグランへの入場許可を認証情報で確認できる。
・携帯端末からドッグランシステムの利用登録できる。
・携帯端末から場所でのドッグランの利用開始を宣言できる。
・携帯端末を用いてドッグランの入口の鍵を解除・施錠できる。
・携帯端末からドッグランの利用に係る料金を支払うことができる。
・ドッグランの利用と既存のポイントシステムとを連携できる。
・携帯端末上でドッグランの設備を確認できる。
・携帯端末を用いて空きスペース提供者との間での契約やトランザクションを実行できる。
・携帯端末を用いて、利用するドッグランを検索できる。
・携帯端末から犬のキャラをシステムに登録し、適したドッグランを検索、利用できると共に、同様のキャラの犬とドッグランを一緒に利用できる。
・携帯端末上で、お友達の犬を探したり、他の犬とお友達になったりできると共に、お友達へのドッグラン利用の通知、コミュニケーションを取ることができる。
・本活用システムをフランチャイズ展開できる。
・本実施形態の仕組みを使うことで特別なハードウェアへの投資なしにドッグランを開設できる。
・血統やワクチン接種履歴が保証された犬のみのドッグラン利用を可能にする。
・確認済（一般のドッグランでは利用にあたっての手続きが複雑なところがある）の犬のみが利用できるように運用できる。
・近所のドッグランへの優先登録等の携帯端末の利便性を活かした利用ができる。
・予約時に人数制限をすればドッグランを占有利用させることができる。
・同一のドッグランの予約者を犬友達の同じグループのみにすることができる。
・ドッグランの無人化、加入者との間での物理的鍵のやり取りが不要になる。
・多様な支払い形式をサポートでき、加入者の利便性に資する。
・ポイントでの支払い等による加入者の利便性に資する。
・エクササイズ器具等を具備した加入者の希望に合ったドッグランを検索できる。
・ドッグラン用の場所の提供者の負担軽減に繋がる。
【０１２３】
なお、上記のドッグラン管理装置は、ハードウェア、ソフトウェア又はこれらの組み合わせにより実現することができる。また、上記のドッグラン管理装置により行なわれるドッグラン管理方法も、ハードウェア、ソフトウェア又はこれらに組み合わせにより実現することができる。ここで、ソフトウェアによって実現されるとは、コンピュータがプログラムを読み込んで実行することにより実現されることを意味する。
【０１２４】
プログラムは、様々なタイプの非一時的なコンピュータ可読媒体(non-transitory computer readable medium)を用いて格納され、コンピュータに供給することができる。非一時的なコンピュータ可読媒体は、様々なタイプの実体のある記録媒体(tangible storage medium)を含む。非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ(Read Only Memory)、ＣＤ−Ｒ、ＣＤ−Ｒ／Ｗ、半導体メモリ（例えば、マスクＲＯＭ、ＰＲＯＭ(Programmable ROM)、ＥＰＲＯＭ(Erasable PROM)、フラッシュＲＯＭ、ＲＡＭ(random access memory)）を含む。また、プログラムは、様々なタイプの一時的なコンピュータ可読媒体(transitory computer readable medium)によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１２５】
（付記１）
ドッグランの利用を管理するためのドッグラン管理装置であって、
前記ドッグラン管理装置により管理されるドッグランシステムを利用する加入者を識別するための加入者識別情報と犬を識別するため犬識別情報とを関連づけて事前登録情報としてデータベースに登録する事前登録情報登録手段と、
前記ドッグランを識別するためのドッグラン識別情報と、前記ドッグランを利用する予約をした加入者に係る事前登録情報と、前記ドッグランを利用する予約時間帯とを対応付けて予約情報として前記データベースに登録する予約情報登録手段と、
加入者の端末により検出された加入者の位置に基づいて特定されたドッグランと、位置が検出された前記加入者と、現在の時刻の組み合わせに相当する予約情報が前記データベースに登録されているか否かに基づいて、特定された前記ドッグランの入り口の解錠を制御する解錠制御手段と、
を備えることを特徴とするドッグラン管理装置。
【０１２６】
（付記２）
付記１に記載のドッグラン管理装置であって、
前記入り口の解錠がなされたならば、位置が検出された前記加入者が特定された前記ドッグランの利用を開始したことを、その加入者のお友達に通知する利用開始通知手段を更に備えることを特徴とするドッグラン管理装置。
【０１２７】
（付記３）
付記１又は２に記載のドッグラン管理装置であって、
前記ドッグランに設けられた装置、検出された加入者の位置の一方又は双方を少なくとも利用して前記ドッグランの出口の施錠を制御する施錠制御手段を更に備えることを特徴とするドッグラン管理装置。
【０１２８】
（付記４）
付記１乃至３の何れか１項に記載のドッグラン管理装置であって、
加入者による前記ドッグランの予約を表す予約情報を前記データベースに登録する予約情報登録手段と、
加入者が予約をしたならば、該加入者の予約情報をその加入者のお友達に通知する自予約情報通知手段と、
を更に備えることを特徴とするドッグラン管理装置。
【０１２９】
（付記５）
付記１乃至４の何れか１項に記載のドッグラン管理装置であって、
前記犬の特徴を表す犬特徴情報を前記犬識別情報に関連付けて前記データベースに登録する犬特徴情報登録手段と、
前記犬特徴情報に基づいて性格マッチングする犬の組み合わせを抽出するマッチング手段と、
前記マッチング手段により抽出された犬の組み合わせに基づいて、加入者にお友達候補を通知するお友達候補通知手段と、
を更に備えることを特徴とするドッグラン管理装置。
【０１３０】
（付記６）
付記１乃至５の何れか１項に記載のドッグラン管理装置であって、
前記犬の特徴を表す犬特徴情報を前記犬識別情報に関連付けて前記データベースに登録する犬特徴情報登録手段と、
前記事前登録情報において前記加入者に関連付けられた犬と性格マッチングする犬を前記犬特徴情報に基づいて選択する犬選択手段と、
前記犬選択手段により選択された犬に係る予約状況又はそれに関連した情報を前記加入者に知らせる他者予約情報通知手段と、
を更に備えることを特徴とするドッグラン管理装置。
【０１３１】
（付記７）
付記１乃至６の何れか１項に記載のドッグラン管理装置であって、
前記ドッグランは、空き地又は空きスペースの一時利用を含む短期利用のドッグラン又は長期利用のドッグランであることを特徴とするドッグラン管理装置。
【０１３２】
（付記８）
付記１乃至７の何れか１に記載のドッグラン管理装置を含むドッグランシステム。
【０１３３】
（付記９）
ドッグランの利用を管理するためのドッグラン管理方法であって、
前記ドッグラン管理方法により管理される前記ドッグランシステムを利用する加入者を識別するための加入者識別情報と犬を識別するため犬識別情報とを関連づけて事前登録情報としてデータベースに登録する事前登録情報登録ステップと、
前記ドッグランを識別するためのドッグラン識別情報と、前記ドッグランを利用する予約をした加入者に係る事前登録情報と、前記ドッグランを利用する予約時間帯とを対応付けて予約情報として前記データベースに登録する予約情報登録ステップと、
加入者の端末により検出された加入者の位置に基づいて特定されたドッグランと、位置が検出された前記加入者と、現在の時刻の組み合わせに相当する予約情報が前記データベースに登録されているか否かに基づいて、特定された前記ドッグランの入り口の解錠を制御する解錠制御ステップと、
を備えることを特徴とするドッグラン管理方法。
【０１３４】
（付記１０）
付記１乃至７の何れか１項に記載のドッグラン管理装置としてコンピュータを機能させるためのドッグラン管理用プログラム。
【０１３５】
本発明はその精神または主要な特徴から逸脱することなく、他の種々の形で実施することができる。そのため、前述した各実施形態は単なる例示にすぎず、限定的に解釈されるべきではない。本発明の範囲は特許請求の範囲によって示すものであって、明細書本文にはなんら拘束されない。さらに、特許請求の範囲の均等範囲に属する変形や変更はすべて本発明の範囲内のものである。
【産業上の利用可能性】
【０１３６】
本発明は、ドッグランを運営するために利用することができる。
【０１３７】
また、犬以外の動物の遊技場を運営するためにも利用することができる。
【符号の説明】
【０１３８】
１０３  ドッグラン管理サーバ装置
１０５  ドッグラン
１０７  携帯端末
【図１】
2018205803.tif 000003
【図２】
2018205803.tif 000004
【図３】
2018205803.tif 000005
【図４】
2018205803.tif 000006
【図５】
2018205803.tif 000007
【図６】
2018205803.tif 000008
【図７】
2018205803.tif 000009
【図８】
2018205803.tif 000010
【図９】
2018205803.tif 000011
【図１０】
2018205803.tif 000012
【図１１】
2018205803.tif 000013
【図１２】
2018205803.tif 000014